(57)【要約】 【課題】  加熱部を操作する操作部が本体から着脱できるようにして、操作性を向上させた誘導加熱調理器を構築する。【解決方法】  本体１と、本体１の上面に設けた加熱部２と、本体１内部に設けたロースター部４と、前記加熱部２や前記ロースター部４を操作する操作部５を設けた誘導加熱調理器において、操作部５が本体１から着脱できるようにするとともに操作部５を取外したとき、これによって生ずる空間部１ａの間口をフタ１９で覆う。【選択図】  図２
2005135718.tif 000002
【特許請求の範囲】
【請求項１】
本体（１）と、本体（１）の上面に設けた加熱部（２）と、本体（１）内部に設けたロースター部（４）と、前記加熱部（２）や前記ロースター部（４）を操作する操作部（５）を設けた誘導加熱調理器において、操作部（５）が本体（１）から着脱できることを特徴とする誘導加熱調理器。
【請求項２】
本体（１）から操作部（５）を取外したとき、これによって生ずる空間部（１ａ）の間口をフタ（１９）で覆うことを特徴とする請求項１記載の誘導加熱調理器。
【請求項３】
本体（１）と操作部（５）との間の制御係の通信は、本体（１）から操作部（５）を取外したときは、無線で行い、本体（１）に操作部（５）が装着されたときは、本体（１）に設けた制御インターフェース部ａ（１１）と操作部（５）の制御インターフェース部ｂ（１５）とを通して行うことを特徴とする請求項１記載の誘導加熱調理器。
【請求項４】
操作部（５）の電源は、本体（１）から操作部（５）を取外したときは、操作部（５）の電池（１８ａ）で構成した電源部ｂ（１８）から供給し、本体（１）に操作部（５）が装着されたときは、本体（１）に設けた電源インターフェース部ａ（１０）を介して操作部（５）の電源インターフェース部ｂ（１６）から供給されることを特徴とする請求項１記載の誘導加熱調理器。
【発明の詳細な説明】
【技術分野】
【０００１】
本発明は、加熱部を操作する操作部が本体から着脱できる誘導加熱調理器に関するものである。
【背景技術】
【０００２】
近年、誘導加熱調理器はガステーブルと比較して安全性、清掃性、加熱性が優れているという特徴が話題となり、徐々に一般家庭に普及してきている。
【０００３】
中でも、最近では高火力、高機能、そして多機能化が進み、キースイッチやＬＥＤ、ＬＣＤの数量がどんどん増加する傾向にある。
【０００４】
このような中で、従来の誘導加熱調理器はガスコンロ等と同様に、本体の前面部にすべての操作、表示部が設けられているため、視認性が非常に悪く、調理のオン／オフや加熱出力の調整、タイマーなどの表示確認の際には、前かがみになったり、腰をかがめたりして対応している。
【０００５】
そのため、特開２００１−２６３６８２号公報や特開２００３−１２３９５４号公報にあるように、操作部を誘導加熱装置本体の前面と本体上部の天板上の２箇所に配置することで、操作性と視認性を向上させているものがあった。
【０００６】
【特許文献１】特開２００１−２６３６８２号公報
【０００７】
【特許文献２】特開２００３−１２３９５４号公報
【発明の開示】
【発明が解決しようとする課題】
【０００８】
誘導加熱装置においては、本来、操作性と視認性向上という観点からは操作部が天板に集約されている事が望ましい。しかし、本体上部の天板に配置できるスペースが限られており、キースイッチの数やＬＥＤの表示数、ＬＣＤのサイズを十分に増やす事ができない。
【０００９】
そのため、従来の誘導加熱装置では、キー操作の一部の機能を前面と天板の２箇所に配置することで改善しているが、一見、どちらも使用可能としたことで操作性を向上させたようではあるが、反面、あっちこっちにキースイッチを設けたため、目的のキースイッチを探さなければならないという問題があった。
【００１０】
また、所詮キースイッチを選別して天板に配置しただけであるので、天板に無いキーを使用する時には見にくい前面部にあるキーを操作する必要があるなどの問題があった。
【００１１】
さらに、前面部に操作部や表示部があると使用者の身長が高い場合、操作の度にかがむ必要があり、足や腰を痛めてかがんだりすることが出来ない使用者にとっては非常に苦痛が伴うなどの問題があった。
【課題を解決するための手段】
【００１２】
本発明は上記の課題を解決するため、本体と、本体の上面に設けた加熱部と、本体内部に設けたロースター部と、前記加熱部や前記ロースター部を操作する操作部を設けた誘導加熱調理器において、操作部が本体から着脱できるようにしたものである。
【００１３】
そして、本体から操作部を取外したとき、これによって生ずる空間部の間口をフタで覆うようにしたものである。
【００１４】
さらに、本体と操作部との間の制御系の通信は、本体から操作部を取外したときは、無線で行い、本体に操作部が装着されたときは、本体に設けた制御インターフェース部ａと操作部の制御インターフェース部ｂとを通して行うようにしたものである。
【００１５】
また、操作部の電源は、本体から操作部を取外したときは、操作部の電池で構成した電源部から供給し、本体に操作部が装着されたときは、本体の内部に設けられた電源インターフェース部ａを介して操作部の電源インターフェース部ｂから供給されるようにしたものである。
【発明の効果】
【００１６】
以上、本発明によれば、本体と、本体の上面に設けた加熱部と、本体内部に設けたロースター部と、前記加熱部や前記ロースター部を操作する操作部を設けた誘導加熱調理器において、操作部が本体から着脱できるようにしたり、本体から操作部を取外したとき、これによって生ずる空間部の間口をフタで覆うようにしたものである。
【００１７】
さらに、本体と操作部との間の制御系の通信は、本体から操作部を取外したときは、無線で行い、本体に操作部が装着されたときは、本体に設けた制御インターフェース部ａと操作部の制御インターフェース部ｂとを通して行うようにしたものである。
【００１８】
また、操作部の電源は、本体から操作部を取外したときは、操作部の電池で構成した電源部から供給し、本体に操作部が装着されたときは、本体の内部に設けた電源インターフェース部を介して操作部の電源インターフェース部から供給されるようにしたものである。
【００１９】
これにより、使用者の体形や健康状態にとらわれず、例えば、腰をまげたり、かがんだりすると身体に苦痛を与える場合などにおいて、これらの問題に対応できるよう、使用者の好きな位置に自由に設置できるという効果がある。
【００２０】
そして、従来の誘導加熱調理器にもガステーブル同様、子供のいたずら防止対策としてスイッチ類を無効にするチャイルドロック機能を備えているが、本発明によれば、操作部を自由に配置できるため、高所に配置するだけでチャイルドロックと同等の効果が得られるものである。
【００２１】
また、チャイルドロック機能は子供のいたずら防止に効果があるものの、調理するときには必ずチャイルドロック解除の手間がかかるというような使用者の利便性を大きく損なうものであるが、本発明によれば、このようなことがなく使い勝手面においても絶大なる効果が得られるものである。
【発明を実施するための最良の形態】
【００２２】
以下、本発明の実施例について図面を参照して説明する。
【００２３】
図１は本発明の一実施例における誘導加熱調理器の外観斜視図で、１は本体である。２ｂは鍋３ａに入れた食品３ｂを加熱する加熱部左で、２ａは同じ働きをする加熱部右である。これら加熱部右２ａ、加熱部左２ｂを総称して加熱部２と称す。これらの加熱部２は誘導加熱コイル（図示せず）で構成されている。
【００２４】
４は魚４ａの丸焼きや切り身などを焼くロースター部である。図１では閉めた状態を示しており、魚４ａを焼くときは図２で示すようにロースター部４を引き出して、所定の場所に魚４ａを載置してから本体１内部に押し込んで、加熱する構造になっている。
【００２５】
５は操作部で、電源スイッチ５ａや前記加熱部２の出力を調整したりする出力調整部５ｂ、食品３ｂの加熱時間を設定する加熱時間設定部５ｃ、そしてメニューや加熱時間などを表示する表示部６などが設けられている。この操作部５は着脱自在になっており、図１は本体１に装着している状態、図２は本体１から取外した状態を示している。
【００２６】
図３は本発明における誘導加熱調理器をブロック図で示したもので、８は交流電源７を変換して使用電源にする電源部ａである。９は加熱部２の電源を作成するインバータ回路である。１０は操作部５へ電源を供給するためのインターフェースである電源インターフェース部ａである。
【００２７】
１１は制御インターフェース部ａで、操作部５が本体１に組込まれたとき操作部５と制御部ａ１２との間で制御に関する情報を有線で伝授する本体１側のインターフェースである。１３は送受信部ａで、操作部５が本体１から取外されたとき操作部５と制御部ａ１２との間で制御に関する情報を無線で伝授する本体１側のインターフェースである。１２は前記制御部ａで、送受信部ａ１３から送られてきた操作部５の情報を基にインバータ回路９を制御して加熱部２の出力を変えたりするところである。
【００２８】
以上説明した符号８から符号１３までは本体１側に設けられている。
【００２９】
次に説明するものは着脱可能な操作部５に設けられているもので、１４は送受信部ｂで、操作部５が本体１から取外されたとき本体１の送受信部ａ１３を介して制御部ａ１２と制御に関する情報を無線で伝授する操作部５側のインターフェースである。
【００３０】
１５は制御インターフェース部ｂで、操作部５が本体１に組込まれたとき操作部５と本体１の制御インターフェース部ａ１１を介して制御部ａ１２との間で制御に関する情報を有線で伝授する操作部５側のインターフェースである。
【００３１】
１６は電源インターフェース部ｂで、操作部５が本体１側に組込まれたとき本体１側の電源インターフェース部ａ１０からから電源を供給してもらうためのインターフェースである。
【００３２】
１８は電源部ｂで、本体１から操作部５が取外された場合における操作部５の電源となるものである。この電源部ｂ１８は１次電池１８ａ１あるいは充電可能な２次電池１８ａ２のいずれかで構成されている。１次電池１８ａ１、２次電池１８ａ２を総称して電池１８ａと称す。
【００３３】
操作部５が本体１に装着され、電源インターフェース部ｂ１６から直接に操作部５の電源を必要とする部品に供給されているとき、電源部ｂに２次電池１８ａ２を使用している場合、２次電池１８ａ２は充電されている。
【００３４】
１７は制御部ｂで、例えば、使用者が加熱部２の出力を出力調整部５ｂで調節した場合、この情報を送受信部ｂ１４へ送信する情報を作成したりするところである。
【００３５】
以上が操作部５に設けられているものである。
【００３６】
次に、上記のように構成された本発明の作用について説明する。
【００３７】
まず、本発明の一実施例として操作部５を本体１から取外して使用する場合について説明する。
【００３８】
使用者が鍋３ａに食品３ｂを入れて加熱部２に載置する。そして、電源スイッチ５ａをオンにするとこの情報は制御部ｂ１７に送られ、ここから送受信部ｂ１４へ、そして無線で本体１の送受信部ａ１３へ送信される。
【００３９】
さらに、本体１の送受信部ａ１３で受信した情報は制御部１２ａへ送られ、この情報を基に制御部ａ１２ではインバータ回路９を制御して加熱部２を動作状態にする。
【００４０】
次に、使用者が食品３ｂに見合った出力になるよう出力調整部５ｂを調整すると、この情報は電源スイッチ５ａの情報と同じようにの制御部ｂ１７に送信される。
【００４１】
更に、この制御部ｂ１７から送受信部ｂ１４へ情報が送信され、ここから無線で本体の送受信部ａ１３へ送信し、この送受信部ａ１３で受信した情報は制御部ａ１２に送られる。この制御部ａ１２ではインバータ回路９に出力変更の動作指示をだし加熱部２の出力を変えて食品３ｂを加熱する。
【００４２】
使用者はこの食品３ａを加熱するにあたって加熱時間を設定したいときは出力調整後直ちに加熱時間設定部５ｃで加熱時間を設定するとこの設定情報は制御部ｂ１７に送信され制御部ｂ１７では表示部６に設定加熱時間を表示させると共に経過時間に切替え表示させる。
【００４３】
また、設定時間情報は出力調整部５ｂで出力を変更した場合と同じ経路で制御部ａ１２にも送信され、制御部ａ１２においてインバータ回路９が設定された時間だけ動作するよう動作時間を監視する。
【００４４】
ここで、本体１から離れた位置に操作部５を設置するため、本体１と無線による通信を行っている。本発明では一例として家庭電化製品のリモコンなどに良く使用されている赤外線ＬＥＤを使用した赤外線通信を行う場合について説明する。
【００４５】
尚、本発明においての赤外線ＬＥＤ２０は送信する赤外線ＬＥＤと受信する赤外線ＬＥＤそれぞれ備えたものとして説明する。
【００４６】
本体１と操作部５を赤外線通信する場合は、図３に示すブロック図の送受信部ａ１３と送受信部ｂ１４に、それぞれ赤外線ＬＥＤ２０（図示せず）を１箇所以上設けることになる。一般的に赤外線通信の場合、指向性が強いため設置する位置関係によっては通信が不安定となることが想定される。
【００４７】
そのため、本発明においては図５に示すように本体１側へ４箇所、操作部５側へ４箇所設けた。設置位置としては、本体１については天板裏１ｂの四隅近傍、操作部５については操作面の四隅に設けた。
【００４８】
尚、本体1側の赤外線ＬＥＤ２０の信号はすべて送受信部ａにて制御され、同じように制御部５の赤外線ＬＥＤ２０の信号はすべて送受信部ｂにて制御されている。
【００４９】
前述したように赤外線ＬＥＤ２０を設けることで、例えば操作部５の出力調整部５ｂにて操作した信号は制御部ｂ１７を通じて送受信部ｂ１４に設けられた送信用の赤外線ＬＥＤ２０から送信される。この赤外線信号は本体１の送受信部ａ１３に設けられた受信用の赤外線ＬＥＤ２０で受信され、制御部ａ１２を通じて操作情報が伝達される。
【００５０】
このとき、本体１から信号を正常に受信したという情報を制御部ａ１２を通じて送受信部ａ１３に設けられた送信用の赤外線ＬＥＤ２０から送信し、操作部５の送受信部ｂ１４に設けられた受信用の赤外線ＬＥＤ２０で受信され、制御部ｂ１７に送信結果が伝達される。
【００５１】
仮に、前記送信結果がＯＫであれば、そのまま調理を続行することになる。しかし、送信結果がＮＧあるいは未応答の場合には操作部５に設けられた表示部６やブザー（図示せず）等で調理者に故障を知らせることを行う。
【００５２】
また、本実施例では無線通信として赤外線を使用したが、他の無線手段として電波を使用することも可能である。この場合、特定小電力無線などの電波を使用すれば、一般的な通信距離から判断して無線通信用の送受信部（図示せず）は本体１と操作部５それぞれ１箇所で十分であり、赤外線よりも何倍も通信距離が稼げる事から、操作部５をより遠方へ持ち運ぶことが可能である。
【００５３】
一例を挙げると、テレビを見ながらその場で調理を開始したり、加熱出力レベルを変更したり、調理の停止をしたりすることができる。この他、タイマー表示（図示せず）を確認したりすることも可能であり、さらに、ベランダで洗濯物を干しながら操作することも可能である。
【００５４】
このように操作部５を本体１から取外して使用した場合、図２で示すように本体１に空間１ａが生じてしまう。空間１ａであると体裁的にもよくなく、ごみがたまるとか、ここから本体１内部ごみが入り込むなどの問題が生じる。
【００５５】
このような問題を解決するため図４の操作部５の断面図で示すように、操作部５が本体１内に組込まれているときは（ａ）のように本体１内に収納されているフタ１９を設け、（ｂ）のように操作部５を取外したときはフタ１９が空間１ａの間口を塞ぐように移動し設置する。このためごみなどが空間１ａに入り込むのを防止することができる。
【００５６】
次に、本発明で本体１から離れた位置に操作部５を設置するため、操作部５に電源部ｂ１８を設けている。一般に誘導加熱調理器はＡＣ２００ＶやＡＣ１００Ｖの交流電源を用いて、使用電源に変換して使っているが、図３のブロック図に示すように操作部５に電源部ｂ１８を設けたことについて説明していく。
【００５７】
本発明では図４に示すように本体１から操作部５を取外して壁面等に設置することを想定している。そのため、操作部５に配線があることは設置性に良くないため、電源部ｂ１８には電池を用いている。この電池が１次電池１８ａ１を使用して、電池切れの時には充電されている１次電池１８ａ１と交換して使用する。
【００５８】
一方、電源部ｂ１８に２次電池１８ａ２を使用した場合、本体１に操作部５を装着している場合には充電されるので、時々本体１に装着させれば新たなものと交換する必要がなく手間が省ける。
【００５９】
このように操作部５を本体１から取外して使えるようになったため、操作部５を使用者の好きな位置に自由に設置できることが可能となった。
【００６０】
尚、操作部５を本体１に装着したときの動作は、操作部５を本体１から取外したときと同じで、しかも公知例にあるので詳細説明は省略する。
【図面の簡単な説明】
【００６１】
【図１】本発明の一実施例を示す誘導加熱調理器の外観斜視図である。
【図２】本発明の一実施例を示す操作部を取外し、ロースター部を引き出した誘導加熱調理器の外観斜視図である。
【図３】本発明の一実施例を示す誘導加熱調理器のブロック図である。
【図４】本発明の一実施例を示す誘導加熱調理器の（ａ）操作部が本体に装着しているときのフタの位置の図と、（ｂ）操作部が取外したとき、これによって生ずる空間の間口をフタにより覆ったときの図である。
【図５】本発明の一実施例を示す誘導加熱調理器の操作部を取外して壁面に配置した図である。
【符号の説明】
【００６２】
１・・・本体
１ａ・・空間
２・・・加熱部
４・・・ロースター部
５・・・操作部
１０・・・電源インターフェース部ａ
１１・・・制御インターフェース部ａ
１５・・・制御インターフェース部ｂ
１６・・・電源インターフェース部ｂ
１８・・・電源部ｂ
１８ａ・・電池
１９・・・フタ
【図１】
2005135718.tif 000003
【図２】
2005135718.tif 000004
【図３】
2005135718.tif 000005
【図４】
2005135718.tif 000006
【図５】
2005135718.tif 000007